【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
（Ａ）（ｉ）ポリエステル、ポリカーボネート、ポリアリーレート及びそれらの均質ブレンドから選ばれた少なくとも１種の熱可塑性ポリマーを含む第１成分と
（ｉｉ）少なくとも２種のポリアミドのアミド交換均質ブレンドを含む第２成分
とを含む非混和性ブレンド｛前記第２成分（ｉｉ）と前記第１成分（ｉ）の屈折率の差［ＲＩ（第２成分）−ＲＩ（第１成分）］は０．００６〜−０．０００６であり、且つ前記非混和性ブレンドは少なくとも７５％のパーセント透過率及び１０％又はそれ以下のヘイズを有する｝；並びに
（Ｂ）元素周期表の第３族〜第１２族、第４列〜第６列から選ばれた少なくとも１種の金属
を含んでなる酸素捕捉性組成物。
【請求項２】
前記第２成分（ｉｉ）が少なくとも２種のポリアミドを２９０〜３４０℃の温度において接触させることによって形成された前記の少なくとも２種のポリアミドの均質なアミド交換ブレンドである請求項１に記載の酸素捕捉性組成物。
【請求項３】
前記の少なくとも１種の熱可塑性ポリマーが（ａ）総二酸残基に基づき、少なくとも８０モル％の、テレフタル酸、イソフタル酸、ナフタレンジカルボン酸及び１，４−シクロヘキサンジカルボン酸から選ばれた少なくとも１種のジカルボン酸の残基並びに０〜２０モル％の、少なくとも１種の炭素数２〜２０の改質用ジカルボン酸の残基を含む二酸残基並びに（ｂ）ジオール残基の総モルに基づき、少なくとも８０モル％の、エチレングリコール、１，４−シクロヘキサンジメタノール、ネオペンチルグリコール、ジエチレングリコール、１，３−プロパンジオール、１，４−ブタンジオール及び２，２，４，４−テトラメチル−１，３−シクロブタンジオールから選ばれた少なくとも１種のジオールの残基並びに０〜２０モル％の、１，２−プロパンジオール、１，３−プロパンジオール、１，４−ブタンジオール、１，５−ペンタンジオール、１，６−ヘキサンジオール、１，４−シクロヘキサンジメタノール、ｐ−キシレングリコール、ネオペンチルグリコール、ポリエチレングリコール、ジエチレングリコール、ポリテトラメチレングリコール及び２，２，４，４−テトラメチル−１，３−シクロブタンジオールから選ばれる少なくとも１種の改質用ジオールの残基を含むジオール残基を含むポリエステルを含む請求項１に記載の酸素捕捉性組成物。
【請求項４】
前記二酸残基がテレフタル酸、イソフタル酸又はそれらの組合せから選ばれた１種又はそれ以上のジカルボン酸の残基を含み、且つ前記ジオール残基が１，４−シクロヘキサンジメタノール、ネオペンチルグリコール、エチレングリコール及びそれらの組合せから選ばれた１種又はそれ以上のジオールの残基を含む請求項３に記載の酸素捕捉性組成物。
【請求項５】
前記二酸残基が６０〜１００モル％のテレフタル酸残基及び０〜４０モル％のイソフタル酸残基を含み且つ前記ジオール残基が１００モル％の１，４−シクロヘキサンジメタノール残基を含む請求項３に記載の酸素捕捉性組成物。
【請求項６】
前記二酸残基が１００モル％のテレフタル酸残基を含む請求項３に記載の酸素捕捉性組成物。
【請求項７】
前記二酸残基が８０〜１００モル％のテレフタル酸残基を含み且つ前記ジオール残基が５０〜９０モル％の１，４−シクロヘキサンジメタノール残基及び１０〜５０モル％のネオペンチルグリコール残基を含む請求項３に記載の酸素捕捉性組成物。
【請求項８】
前記二酸残基が１００モル％のテレフタル酸残基を含み且つ前記ジオール残基が１０〜４０モル％の１，４−シクロヘキサンジメタノール残基及び６０〜９０モル％のエチレングリコール残基を含む請求項３に記載の酸素捕捉性組成物。
【請求項９】
前記ジオール残基が１０〜９９モル％の１，４−シクロヘキサンジメタノール残基、０〜９０モル％のエチレングリコール残基及び１〜２５モル％のジエチレングリコール残基を含む請求項６に記載の酸素捕捉性組成物。
【請求項１０】
前記ジオール残基が５０〜９０モル％の１，４−シクロヘキサンジメタノール及び１０〜５０モル％のエチレングリコールを含む請求項６に記載の酸素捕捉性組成物。
【請求項１１】
前記コポリアミドが、１００モル％の総ジアミン残基含量に基づき、１５〜１００モル％のｍ−キシリレンジアミン残基；並びに１００モル％の総二酸残基含量に基づき、１５〜８５モル％のアジピン酸残基及び８５〜１５モル％の、ピメリン酸、スベリン酸、アゼライン酸、セバシン酸、ウンデカン二酸、ドデカン二酸及び１，４−シクロヘキサンジカルボン酸から選ばれた１種又はそれ以上の脂肪族又は脂環式ジカルボン酸の残基を含む請求項３〜１０のいずれか１項に記載の酸素捕捉性組成物。
【請求項１２】
前記均質ブレンドがｍ−キシリレンジアミン及びアジピン酸の残基を含む第１ポリアミドを含み、且つ、アジピン酸、ピメリン酸、スベリン酸、アゼライン酸、セバシン酸、ウンデカン二酸、ドデカン二酸、カプロラクタム、ブチロラクタム、１１−アミノウンデカン二酸及びヘキサメチレンジアミンから選ばれた少なくとも１種の脂肪族又は脂環式モノマーの残基を含む第２ポリアミドを含む請求項３〜１０のいずれか１項に記載の酸素捕捉性組成物。
【請求項１３】
前記第２ポリアミドがナイロン４；ナイロン６；ナイロン９；ナイロン１１；ナイロン１２；ナイロン６，６；ナイロン５，１０；ナイロン６，１２；ナイロン６，１１；ナイロン１０，１２及びそれらの組合せから選ばれた少なくとも１種のポリアミドを含む請求項１２に記載の酸素捕捉性組成物。
【請求項１４】
前記組成物の総重量に基づき、１０〜５００重量百万分率の前記金属を含み、前記金属が銅、ニッケル、コバルト、鉄、マンガン及びそれらの組合せから選ばれる請求項１２又は１３に記載の酸素捕捉性組成物。
【請求項１５】
前記の少なくとも１種の熱可塑性ポリマーが前記ポリエステルとビスフェノールＡの残基を含むポリカーボネートとの均質ブレンドを更に含む請求項１１〜１４のいずれか１項に記載の酸素捕捉性組成物。
【請求項１６】
請求項１１〜１５のいずれか１項に記載の酸素捕捉性組成物を含み、そして押出、カレンダリング、熱成形、ブロー成形、押出ブロー成形、射出成形、圧縮成形、キャスト、ドラフト、幅出し又はフリーブローによって形成される請求項１１〜１５のいずれか１項に記載の造形品。
【請求項１７】
シート、フィルム、チューブ、プレフォーム又はボトルである請求項１６に記載の造形品。
【請求項１８】
２〜７層を有する請求項１７に記載の造形品。
【手続補正２】
【補正対象書類名】明細書
【補正対象項目名】０１６７
【補正方法】変更
【補正の内容】
【０１６７】
【表１２】
2008542450.tif 000001
以下に本発明の態様を説明する。
態様１．（Ａ）（ｉ）ポリエステル、ポリカーボネート、ポリアリーレート及びそれらの均質ブレンドから選ばれた少なくとも１種の熱可塑性ポリマーを含む第１成分と
（ｉｉ）少なくとも２種のポリアミドのアミド交換均質ブレンドを含む第２成分
とを含む非混和性ブレンド｛前記第２成分（ｉｉ）と前記第１成分（ｉ）の屈折率の差［ＲＩ（第２成分）−ＲＩ（第１成分）］は０．００６〜−０．０００６であり、且つ前記非混和性ブレンドは少なくとも７５％のパーセント透過率及び１０％又はそれ以下のヘイズを有する｝；並びに
（Ｂ）元素周期表の第３族〜第１２族、第４列〜第６列から選ばれた少なくとも１種の金属
を含んでなる酸素捕捉性組成物。
態様２．前記第２成分（ｉｉ）が少なくとも２種のポリアミドを２９０〜３４０℃の温度において接触させることによって形成された前記の少なくとも２種のポリアミドの均質なアミド交換ブレンドである態様１に記載の酸素捕捉性組成物。
態様３．前記接触を、溶融ブレンド又は押出によって、実施する態様２に記載の酸素捕捉性組成物。
態様４．前記酸素捕捉性組成物の総重量に基づき、５〜９９重量％の前記第１成分（ｉ）及び９５〜１重量％の前記第２成分（ｉｉ）を含む態様２に記載の酸素捕捉性組成物。
態様５．前記酸素捕捉性組成物の総重量に基づき、５０〜９９重量％の前記第１成分（ｉ）及び５０〜１重量％の前記第２成分（ｉｉ）を含む態様４に記載の酸素捕捉性組成物。
態様６．前記酸素捕捉性組成物の総重量に基づき、７０〜９９重量％の前記第１成分（ｉ）及び３０〜１重量％の前記第２成分（ｉｉ）を含む態様５に記載の酸素捕捉性組成物。
態様７．前記第２成分（ｉｉ）と前記第１成分（ｉ）の屈折率の差［ＲＩ（第２成分）―ＲＩ（第１成分）］が０．００５〜−０．０００６である態様１に記載の酸素捕捉性組成物。
態様８．前記の少なくとも１種の熱可塑性ポリマーが（ａ）総二酸残基に基づき、少なくとも８０モル％の、テレフタル酸、イソフタル酸、ナフタレンジカルボン酸及び１，４−シクロヘキサンジカルボン酸から選ばれた少なくとも１種のジカルボン酸の残基並びに０〜２０モル％の、少なくとも１種の炭素数２〜２０の改質用ジカルボン酸の残基を含む二酸残基並びに（ｂ）ジオール残基の総モルに基づき、少なくとも８０モル％の、エチレングリコール、１，４−シクロヘキサンジメタノール、ネオペンチルグリコール、ジエチレングリコール、１，３−プロパンジオール、１，４−ブタンジオール及び２，２，４，４−テトラメチル−１，３−シクロブタンジオールから選ばれた少なくとも１種のジオールの残基並びに０〜２０モル％の、少なくとも１種の炭素数３〜１６の改質用ジオールの残基を含むジオール残基を含むポリエステルを含む態様１に記載の酸素捕捉性組成物。
態様９．前記改質用ジカルボン酸が４，４’−ビフェニルジカルボン酸、１，４−ナフタレンジカルボン酸、１，５−ナフタレンジカルボン酸、２，６−ナフタレンジカルボン酸、２，７−ナフタレンジカルボン酸、４，４’−オキシ安息香酸、トランス−４，４’−スチルベンジカルボン酸、シュウ酸、マロン酸、コハク酸、グルタル酸、アジピン酸、ピメリン酸、スベリン酸、アゼライン酸及びセバシン酸から選ばれ；且つ前記改質用ジオールが、１，２−プロパンジオール、１，３−プロパンジオール、１，４−ブタンジオール、１，５−ペンタンジオール、１，６−ヘキサンジオール、１，４−シクロヘキサンジメタノール、ｐ−キシレングリコール、ネオペンチルグリコール、ポリエチレングリコール、ジエチレングリコール、ポリテトラメチレングリコール及び２，２，４，４−テトラメチル−１，３−シクロブタンジオールから選ばれる態様８に記載の酸素捕捉性組成物。
態様１０．前記二酸残基がテレフタル酸、イソフタル酸又はそれらの組合せから選ばれた１種又はそれ以上のジカルボン酸の残基を含み、且つ前記ジオール残基が１，４−シクロヘキサンジメタノール、ネオペンチルグリコール、エチレングリコール及びそれらの組合せから選ばれた１種又はそれ以上のジオールの残基を含む態様８に記載の酸素捕捉性組成物。
態様１１．総二酸残基に基づき、０．１〜２モル％の、トリメリット酸、トリメリット酸無水物及びピロメリット酸二無水物から選ばれた少なくとも１種の分岐剤の残基を更に含む態様８に記載の酸素捕捉性組成物。
態様１２．前記二酸残基が６０〜１００モル％のテレフタル酸残基及び０〜４０モル％のイソフタル酸残基を含み且つ前記ジオール残基が１００モル％の１，４−シクロヘキサンジメタノール残基を含む態様８に記載の酸素捕捉性組成物。
態様１３．前記二酸残基が１００モル％のテレフタル酸残基を含む態様８に記載の酸素捕捉性組成物。
態様１４．前記二酸残基が８０〜１００モル％のテレフタル酸残基を含み且つ前記ジオール残基が５０〜９０モル％の１，４−シクロヘキサンジメタノール残基及び１０〜５０モル％のネオペンチルグリコール残基を含む態様８に記載の酸素捕捉性組成物。
態様１５．前記二酸残基が１００モル％のテレフタル酸残基を含み且つ前記ジオール残基が１０〜４０モル％の１，４−シクロヘキサンジメタノール残基及び６０〜９０モル％のエチレングリコール残基を含む態様８に記載の酸素捕捉性組成物。
態様１６．前記ジオール残基が１０〜９９モル％の１，４−シクロヘキサンジメタノール残基、０〜９０モル％のエチレングリコール残基及び１〜２５モル％のジエチレングリコール残基を含む態様１３に記載の酸素捕捉性組成物。
態様１７．前記ジオール残基が５０〜９０モル％の１，４−シクロヘキサンジメタノール及び１０〜５０モル％のエチレングリコールを含む態様１３に記載の酸素捕捉性組成物。
態様１８．（Ａ）（ｉ）ポリエステル、ポリカーボネート、ポリアリーレート及びそれらの均質ブレンドから選ばれた少なくとも１種の熱可塑性ポリマーを含む第１成分と
（ｉｉ）コポリアミドを含む第２成分
を含む非混和性ブレンド｛前記第２成分（ｉｉ）と前記第１成分（ｉ）の屈折率の差［ＲＩ（第２成分）−ＲＩ（第１成分）］は０．００６〜−０．０００６であり、且つ前記非混和性ブレンドは少なくとも７５％のパーセント透過率及び１０％又はそれ以下のヘイズを有する｝；並びに
（Ｂ）元素周期表の第３族〜第１２族、第４列〜第６列から選ばれた少なくとも１種の金属
を含んでなる酸素捕捉性組成物。
態様１９．前記コポリアミドがｍ−キシリレンジアミン、ｐ−キシリレンジアミン又はそれらの組合せの残基；並びにテレフタル酸、イソフタル酸、アジピン酸、ピメリン酸、スベリン酸、アゼライン酸、セバシン酸、ウンデカン二酸、ドデカン二酸、カプロラクタム、ブチロラクタム、１１−アミノ−ウンデカン二酸及び１，６−ヘキサメチレンジアミンから選ばれた少なくとも１種のモノマーの残基を含む態様１８に記載の酸素捕捉性組成物。
態様２０．前記コポリアミドが、１００モル％の総ジアミン残基含量に基づき、１５〜１００モル％のｍ−キシリレンジアミン残基；並びに１００モル％の総二酸残基含量に基づき、１５〜８５モル％のアジピン酸残基及び８５〜１５モル％の、ピメリン酸、スベリン酸、アゼライン酸、セバシン酸、ウンデカン二酸、ドデカン二酸及び１，４−シクロヘキサンジカルボン酸から選ばれた１種又はそれ以上の脂肪族又は脂環式ジカルボン酸の残基を含む態様１９に記載の酸素捕捉性組成物。
態様２１．前記コポリアミドが２０ミリモル／Ｋｇ又はそれ以下の末端アミン基を含む態様２０に記載の酸素捕捉性組成物。
態様２２．前記第１成分（ｉ）が（ａ）総二酸残基に基づき、少なくとも８０モル％の、テレフタル酸、イソフタル酸、ナフタレンジカルボン酸及び１，４−シクロヘキサンジカルボン酸から選ばれた少なくとも１種のジカルボン酸の残基並びに０〜２０モル％の、少なくとも１種の炭素数２〜２０の改質用ジカルボン酸の残基を含む二酸残基並びに（ｂ）ジオール残基の総モルに基づき少なくとも８０モル％の、エチレングリコール、１，４−シクロヘキサンジメタノール、ネオペンチルグリコール、ジエチレングリコール、１，３−プロパンジオール、１，４−ブタンジオール及び２，２，４，４−テトラメチル−１，３−シクロブタンジオールから選ばれた少なくとも１種のジオールの残基並びに０〜２０モル％の、少なくとも１種の炭素数３〜１６の改質用ジオールの残基を含むジオール残基を含むポリエステルを含む態様２０に記載の酸素捕捉性組成物。
態様２３．前記第２成分（ｉｉ）が芳香族残基を含む第１ポリアミド及び脂肪族残基を含む第２ポリアミドを含む均質ブレンドを含む態様１に記載の酸素捕捉性組成物。
態様２４．前記均質ブレンドがｍ−キシリレンジアミン及びアジピン酸の残基を含む第１ポリアミドを含み、且つ前記第２ポリアミドが、アジピン酸、ピメリン酸、スベリン酸、アゼライン酸、セバシン酸、ウンデカン二酸、ドデカン二酸、カプロラクタム、ブチロラクタム、１１−アミノウンデカン二酸及びヘキサメチレンジアミンから選ばれた少なくとも１種の脂肪族又は脂環式モノマーの残基を含む態様２３に記載の酸素捕捉性組成物。
態様２５．前記第２ポリアミドがナイロン４；ナイロン６；ナイロン９；ナイロン１１；ナイロン１２；ナイロン６，６；ナイロン５，１０；ナイロン６，１２；ナイロン６，１１；ナイロン１０，１２及びそれらの組合せから選ばれた少なくとも１種のポリアミドを含む態様２３に記載の酸素捕捉性組成物。
態様２６．前記第２ポリアミドがナイロン６、ナイロン６，６又はそれらのブレンドを含む態様２５に記載の酸素捕捉性組成物。
態様２７．前記均質ブレンドが２０ミリモル／Ｋｇ又はそれ以下の末端アミン基を含む態様２５に記載の酸素捕捉性組成物。
態様２８．前記金属が銅、ニッケル、コバルト、鉄、マンガン及びそれらの組合せから選ばれる態様１に記載の酸素捕捉性組成物。
態様２９．前記組成物の総重量に基づき、１０〜５００重量百万分率の前記金属を含む態様２８に記載の酸素捕捉性組成物。
態様３０．５０〜３００重量百万分率の前記金属を含む態様２９に記載の酸素捕捉性組成物。
態様３１．前記金属がコバルトであり、且つ前記の少なくとも１種の熱可塑性ポリマーが（ａ）総二酸残基に基づき少なくとも８０モル％の、テレフタル酸、イソフタル酸、ナフタレンジカルボン酸及び１，４−シクロヘキサンジカルボン酸から選ばれた少なくとも１種のジカルボン酸の残基並びに０〜２０モル％の、少なくとも１種の炭素数２〜２０の改質用ジカルボン酸の残基を含む二酸残基並びに（ｂ）ジオール残基の総モルに基づき少なくとも８０モル％の、エチレングリコール、１，４−シクロヘキサンジメタノール、ネオペンチルグリコール、ジエチレングリコール、１，３−プロパンジオール、１，４−ブタンジオール及び２，２，４，４−テトラメチル−１，３−シクロブタンジオールから選ばれた少なくとも１種のジオールの残基並びに０〜２０モル％の、少なくとも１種の炭素数３〜１６の改質用ジオールの残基を含むジオール残基を含むポリエステルを含む態様２７に記載の酸素捕捉性組成物。
態様３２．前記二酸残基がテレフタル酸、イソフタル酸又はそれらの組合せから選ばれた１種又はそれ以上のジカルボン酸の残基を含み、且つ前記ジオール残基が１，４−シクロヘキサンジメタノール、ネオペンチルグリコール、エチレングリコール及びそれらの組合せから選ばれた１種又はそれ以上のジオールの残基を含む態様３１に記載の酸素捕捉性組成物。
態様３３．前記二酸残基が６０〜１００モル％のテレフタル酸残基及び０〜４０モル％のイソフタル酸残基を含み且つ前記ジオール残基が１００モル％の１，４−シクロヘキサンジメタノール残基を含む態様３１に記載の酸素捕捉性組成物。
態様３４．前記二酸残基が１００モル％のテレフタル酸を含む態様３１に記載の酸素捕捉性組成物。
態様３５．前記二酸残基が８０〜１００モル％のテレフタル酸を含み且つ前記ジオール残基が５０〜９０モル％の１，４−シクロヘキサンジメタノール及び１０〜５０モル％のネオペンチルグリコールを含む態様３１に記載の酸素捕捉性組成物。
態様３６．前記二酸残基が１００モル％のテレフタル酸を含み且つ前記ジオール残基が１０〜４０モル％の１，４−シクロヘキサンジメタノール及び６０〜９０モル％のエチレングリコールを含む態様３１に記載の酸素捕捉性組成物。
態様３７．前記ジオール残基が１０〜９９モル％の１，４−シクロヘキサンジメタノール、０〜９０モル％のエチレングリコール及び１〜２５モル％のジエチレングリコールを含む態様３１に記載の酸素捕捉性組成物。
態様３８．前記ジオール残基が５０〜９０モル％の１，４−シクロヘキサンジメタノール及び１０〜５０モル％のエチレングリコールを含む態様３１に記載の酸素捕捉性組成物。
態様３９．前記の少なくとも１種の熱可塑性ポリマーが前記ポリエステルとビスフェノールＡの残基を含むポリカーボネートとの均質ブレンドを更に含む態様３１に記載の酸素捕捉性組成物。
態様４０．前記ポリエステル及び前記ポリカーボネートが分岐している態様３９に記載の酸素捕捉性組成物。
態様４１．前記ポリエステルが、総二酸残基に基づき、０．１〜２モル％の、トリメリット酸、トリメリット酸無水物及びピロメリット酸二無水物から選ばれた少なくとも１種の分岐剤の残基を更に含む態様４０に記載の酸素捕捉性組成物。
態様４２．前記二酸残基がテレフタル酸、イソフタル酸又はそれらの組合せから選ばれた１種又はそれ以上のジカルボン酸の残基を含み且つ前記ジオール残基が１，４−シクロヘキサンジメタノール、ネオペンチルグリコール、エチレングリコール及びそれらの組合せから選ばれた１種又はそれ以上のジオールの残基を含む態様３９に記載の酸素捕捉性組成物。
態様４３．前記二酸残基が６０〜１００モル％のテレフタル酸残基及び０〜４０モル％のイソフタル酸残基を含み且つ前記ジオール残基が１００モル％の１，４−シクロヘキサンジメタノール残基を含む態様３９に記載の酸素捕捉性組成物。
態様４４．前記二酸残基が１００モル％のテレフタル酸を含む態様３９に記載の酸素捕捉性組成物。
態様４５．前記二酸残基が８０〜１００モル％のテレフタル酸を含み且つ前記ジオール残基が５０〜９０モル％の１，４−シクロヘキサンジメタノール及び１０〜５０モル％のネオペンチルグリコールを含む態様３９に記載の酸素捕捉性組成物。
態様４６．前記二酸残基が１００モル％のテレフタル酸を含み且つ前記ジオール残基が１０〜４０モル％の１，４−シクロヘキサンジメタノール及び６０〜９０モル％のエチレングリコールを含む態様３９に記載の酸素捕捉性組成物。
態様４７．前記ジオール残基が１０〜９９モル％の１，４−シクロヘキサンジメタノール、０〜９０モル％のエチレングリコール及び１〜２５モル％のジエチレングリコールを含む態様４４に記載の酸素捕捉性組成物。
態様４８．前記ジオール残基が５０〜９０モル％の１，４−シクロヘキサンジメタノール及び１０〜５０モル％のエチレングリコールを含む態様４４に記載の酸素捕捉性組成物。
態様４９．態様２、８、２５又は４６のいずれか１項に記載の酸素捕捉性組成物を含んでなる造形品。
態様５０．押出、カレンダリング、熱成形、ブロー成形、押出ブロー成形、射出成形、圧縮成形、キャスト、ドラフト、幅出し又はフリーブロー成形によって形成される態様４９に記載の造形品。
態様５１．シート、フィルム、チューブ、プレフォーム又はボトルである態様５０に記載の造形品。
態様５２．ボトルである態様５１に記載の造形品。
態様５３．２〜７層を有する態様５１に記載の造形品。